【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
リモートユーザ機器（ＵＥ）のワイヤレス通信の方法であって、
第１のリンク品質を決定すること、前記第１のリンク品質は、第１の潜在的中継ＵＥと前記リモートＵＥとの間の第１のリンクのリンク品質を示す、と、
第２のリンク品質を決定すること、前記第２のリンク品質は、前記第１の潜在的中継ＵＥと第１の基地局との間の第２のリンクのリンク品質を示す、と、
第２の潜在的中継ＵＥに対して前記第１の潜在的中継ＵＥをランク付けすること、前記第１の潜在的中継ＵＥの前記ランク付けは、前記第１のリンク品質と前記第２のリンク品質との組合せに基づき、より多くの重みは、前記第２のリンク品質より前記第１のリンク品質に与えられる、と、
前記第２の潜在的中継ＵＥに対する前記第１の潜在的中継ＵＥの前記ランク付けに基づいて、中継接続のために前記第１の潜在的中継ＵＥおよび前記第２の潜在的中継ＵＥのうちの１つを選択することと
を備える、方法。
【請求項２】
前記第１の潜在的中継ＵＥから第１のＰＣ５メッセージを受信すること、前記第１のリンク品質は、前記受信された第１のＰＣ５メッセージに基づいて決定される、と、
前記第１の潜在的中継ＵＥから第２のＰＣ５メッセージを受信すること、前記第２のＰＣ５メッセージは、前記第２のリンク品質を示す情報を備える、と
をさらに備える、請求項１に記載の方法。
【請求項３】
前記第１のＰＣ５メッセージと前記第２のＰＣ５メッセージとは、同じＰＣ５メッセージである、
請求項２に記載の方法。
【請求項４】
前記第１のリンクの前記第１のリンク品質は、前記第１のＰＣ５メッセージの基準信号受信電力、基準信号受信品質、信号対雑音比、または信号対干渉プラス雑音比のうちの少なくとも１つを決定することによって決定される、
請求項２に記載の方法。
【請求項５】
前記第２のリンク品質は、前記第２のリンクの基準信号受信電力（ＲＳＲＰ）、基準信号受信品質、信号対雑音比、または信号対干渉プラス雑音比のうちの少なくとも１つの関数である、
請求項２に記載の方法。
【請求項６】
第３のリンク品質を決定すること、前記第３のリンク品質は、前記第２の潜在的中継ＵＥと前記リモートＵＥとの間の第３のリンクのリンク品質を示す、と、
第４のリンク品質を決定すること、前記第４のリンク品質は、前記第２の潜在的中継ＵＥと第２の基地局との間の第４のリンクのリンク品質を示す、と
をさらに備え、前記第１の潜在的中継ＵＥは、前記第３のリンク品質と前記第４のリンク品質との組合せにさらに基づいて、前記第２の潜在的中継ＵＥに対してランク付けされる、
請求項１に記載の方法。
【請求項７】
前記第２の潜在的中継ＵＥから第３のＰＣ５メッセージを受信すること、前記第３のリンク品質は、前記受信された第３のＰＣ５メッセージに基づいて決定される、と、
前記第２の潜在的中継ＵＥから第４のＰＣ５メッセージを受信すること、前記第４のＰＣ５メッセージは、前記第４のリンク品質を示す情報を備える、と
をさらに備える、請求項６に記載の方法。
【請求項８】
前記第１の基地局および前記第２の基地局は、単一の基地局を備える、
請求項６に記載の方法。
【請求項９】
前記第１の潜在的中継ＵＥおよび前記第２の潜在的中継ＵＥのうちの１つは、前記第１の潜在的中継ＵＥおよび前記第２の潜在的中継ＵＥのうちの最高ランク付けに基づいて選択される、
請求項１に記載の方法。
【請求項１０】
前記第１の基地局に測定報告を送信することをさらに備え、前記測定報告は、前記第１のリンク品質および前記第２のリンク品質のうちの少なくとも１つを含む、
請求項１に記載の方法。
【請求項１１】
前記第１の基地局から、前記第１の潜在的中継ＵＥまたは前記第２の潜在的中継ＵＥのうちの少なくとも１つを示す情報を受信することをさらに備え、前記受信された情報は、前記送信された測定報告に基づく、
請求項１０に記載の方法。
【請求項１２】
前記受信された情報に基づいて、前記第１の潜在的中継ＵＥまたは前記第２の潜在的中継ＵＥのうちの１つに接続することと、
前記リモートＵＥが前記第１の潜在的中継ＵＥまたは前記第２の潜在的中継ＵＥのうちの前記１つに接続することに成功した、あるいは、前記リモートＵＥが前記中継ＵＥに接続することに失敗した、のうちの少なくとも１つであるときに、前記第１の基地局に通知することと
をさらに備える、請求項１１に記載の方法。
【請求項１３】
前記第１の潜在的中継ＵＥまたは前記第２の潜在的中継ＵＥのうちの１つに接続することに成功すると、サービング基地局に関して無線リソース制御（ＲＲＣ）接続状態からＲＲＣアイドル状態に遷移することをさらに備える、
請求項１１に記載の方法。
【請求項１４】
ワイヤレス通信のための装置であって、前記装置は、リモートユーザ機器（ＵＥ）であり、
第１のリンク品質を決定するための手段、前記第１のリンク品質は、第１の潜在的中継ＵＥと前記リモートＵＥとの間の第１のリンクのリンク品質を示す、と、
第２のリンク品質を決定するための手段、前記第２のリンク品質は、前記第１の潜在的中継ＵＥと第１の基地局との間の第２のリンクのリンク品質を示す、と、
第２の潜在的中継ＵＥに対して前記第１の潜在的中継ＵＥをランク付けするための手段、前記第１の潜在的中継ＵＥの前記ランク付けは、前記第１のリンク品質と前記第２のリンク品質との組合せに基づき、より多くの重みは、前記第２のリンク品質より前記第１のリンク品質に与えられる、と、
前記第２の潜在的中継ＵＥに対する前記第１の潜在的中継ＵＥの前記ランク付けに基づいて、中継接続のために前記第１の潜在的中継ＵＥおよび前記第２の潜在的中継ＵＥのうちの１つを選択するための手段と
を備える、装置。
【請求項１５】
請求項１乃至１３のいずれか１項に従う方法を実行するコードを備える、リモートユーザ機器（ＵＥ）におけるワイヤレス通信のためのコンピュータ実行可能コードを記憶するコンピュータ可読媒体。
【手続補正２】
【補正対象書類名】明細書
【補正対象項目名】０１０７
【補正方法】変更
【補正の内容】
【０１０７】
[00116]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
リモートユーザ機器（ＵＥ）のワイヤレス通信の方法であって、
第１のリンク品質を決定すること、前記第１のリンク品質は、第１の潜在的中継ＵＥと前記リモートＵＥとの間の第１のリンクのリンク品質を示す、と、
第２のリンク品質を決定すること、前記第２のリンク品質は、前記第１の潜在的中継ＵＥと第１の基地局との間の第２のリンクのリンク品質を示す、と、
第２の潜在的中継ＵＥに対して前記第１の潜在的中継ＵＥをランク付けすること、前記第１の潜在的中継ＵＥの前記ランク付けは、前記第１のリンク品質と前記第２のリンク品質との組合せに基づく、と、
前記第２の潜在的中継ＵＥに対する前記第１の潜在的中継ＵＥの前記ランク付けに基づいて、中継接続のために前記第１の潜在的中継ＵＥおよび前記第２の潜在的中継ＵＥのうちの１つを選択することと
を備える、方法。
［Ｃ２］
前記第１の潜在的中継ＵＥから第１のＰＣ５メッセージを受信すること、前記第１のリンク品質は、前記受信された第１のＰＣ５メッセージに基づいて決定される、と、
前記第１の潜在的中継ＵＥから第２のＰＣ５メッセージを受信すること、前記第２のＰＣ５メッセージは、前記第２のリンク品質を示す情報を備える、と
をさらに備える、［Ｃ１］に記載の方法。
［Ｃ３］
前記第１のＰＣ５メッセージと前記第２のＰＣ５メッセージとは、同じＰＣ５メッセージである、
［Ｃ２］に記載の方法。
［Ｃ４］
前記第１のリンクの前記第１のリンク品質は、前記第１のＰＣ５メッセージの基準信号受信電力（ＲＳＲＰ）、基準信号受信品質（ＲＳＲＱ）、信号対雑音比（ＳＮＲ）、または信号対干渉プラス雑音比（ＳＩＮＲ）のうちの少なくとも１つを決定することによって決定される、
［Ｃ２］に記載の方法。
［Ｃ５］
前記第２のリンク品質は、前記第２のリンクの基準信号受信電力（ＲＳＲＰ）、基準信号受信品質（ＲＳＲＱ）、信号対雑音比（ＳＮＲ）、または信号対干渉プラス雑音比（ＳＩＮＲ）のうちの少なくとも１つの関数である、
［Ｃ２］に記載の方法。
［Ｃ６］
第３のリンク品質を決定すること、前記第３のリンク品質は、前記第２の潜在的中継ＵＥと前記リモートＵＥとの間の第３のリンクのリンク品質を示す、と、
第４のリンク品質を決定すること、前記第４のリンク品質は、前記第２の潜在的中継ＵＥと第２の基地局との間の第４のリンクのリンク品質を示す、と
をさらに備え、前記第１の潜在的中継ＵＥは、前記第３のリンク品質と前記第４のリンク品質との組合せにさらに基づいて、前記第２の潜在的中継ＵＥに対してランク付けされる、
［Ｃ１］に記載の方法。
［Ｃ７］
前記第２の潜在的中継ＵＥから第３のＰＣ５メッセージを受信すること、前記第３のリンク品質は、前記受信された第３のＰＣ５メッセージに基づいて決定される、と、
前記第２の潜在的中継ＵＥから第４のＰＣ５メッセージを受信すること、前記第４のＰＣ５メッセージは、前記第４のリンク品質を示す情報を備える、と
をさらに備える、［Ｃ６］に記載の方法。
［Ｃ８］
前記第１の基地局および前記第２の基地局は、単一の基地局を備える、
［Ｃ６］に記載の方法。
［Ｃ９］
前記第１の潜在的中継ＵＥおよび前記第２の潜在的中継ＵＥのうちの１つは、前記第１の潜在的中継ＵＥおよび前記第２の潜在的中継ＵＥのうちの最高ランク付けに基づいて選択される、
［Ｃ１］に記載の方法。
［Ｃ１０］
前記ランク付けは、前記第１のリンク品質に第１の重み付け係数を適用することと、前記第２のリンク品質に第２の重み付け係数を適用することとによって、前記第１のリンク品質と前記第２のリンク品質とを組み合わせることを備える、
［Ｃ１］に記載の方法。
［Ｃ１１］
前記第１の重み付け係数および前記第２の重み付け係数は、固定値である、
［Ｃ１０］に記載の方法。
［Ｃ１２］
前記第１の重み付け係数および前記第２の重み付け係数は、前記リモートＵＥ中で事前構成される、
［Ｃ１０］に記載の方法。
［Ｃ１３］
サービング基地局から前記第１の重み付け係数または前記第２の重み付け係数のうちの少なくとも１つを示す情報を受信することをさらに備える、
［Ｃ１０］に記載の方法。
［Ｃ１４］
前記第１の重み付け係数または前記第２の重み付け係数のうちの前記少なくとも１つを示す前記情報は、前記サービング基地局からのシステム情報ブロック（ＳＩＢ）中で受信される、
［Ｃ１３］に記載の方法。
［Ｃ１５］
前記第１の重み付け係数または前記第２の重み付け係数のうちの前記少なくとも１つを示す前記情報は、前記サービング基地局からの専用無線リソース制御（ＲＲＣ）シグナリングとして受信される、
［Ｃ１３］に記載の方法。
［Ｃ１６］
ＰＣ５メッセージの一部として、前記第１の潜在的中継ＵＥまたは前記第２の潜在的中継ＵＥのうちの１つから、前記第１の重み付け係数または前記第２の重み付け係数のうちの少なくとも１つを示す情報を受信することをさらに備える、
［Ｃ１０］に記載の方法。
［Ｃ１７］
前記ランク付けは、前記第１のリンク品質および前記第２のリンク品質の最小値を選択することをさらに備える、
［Ｃ１０］に記載の方法。
［Ｃ１８］
前記ランク付けは、前記第１のリンク品質および前記第２のリンク品質の線形平均に基づく、
［Ｃ１０］に記載の方法。
［Ｃ１９］
前記第１の基地局に測定報告を送信することをさらに備え、前記測定報告は、前記第１のリンク品質および前記第２のリンク品質のうちの少なくとも１つを含む、
［Ｃ１］に記載の方法。
［Ｃ２０］
前記第１のベース局から、前記第１の潜在的中継ＵＥまたは前記第２の潜在的中継ＵＥのうちの少なくとも１つを示す情報を受信することをさらに備え、前記受信された情報は、前記送信された測定報告に基づく、
［Ｃ１９］に記載の方法。
［Ｃ２１］
前記受信された情報に基づいて、前記第１の潜在的中継ＵＥまたは前記第２の潜在的中継ＵＥのうちの１つに接続することと、
前記リモートＵＥが前記第１の潜在的中継ＵＥまたは前記第２の潜在的中継ＵＥのうちの前記１つに接続することに成功した、あるいは、前記リモートＵＥが前記中継ＵＥに接続することに失敗した、のうちの少なくとも１つであるときに、前記第１の基地局に通知することと
をさらに備える、［Ｃ２０］に記載の方法。
［Ｃ２２］
前記第１の潜在的中継ＵＥまたは前記第２の潜在的中継ＵＥのうちの１つに接続することに成功すると、サービング基地局に関して無線リソース制御（ＲＲＣ）接続状態からＲＲＣアイドル状態に遷移することをさらに備える、
［Ｃ２０］に記載の方法。
［Ｃ２３］
ワイヤレス通信のための装置であって、前記装置は、リモートユーザ機器（ＵＥ）であり、
メモリと、
前記メモリに結合された少なくとも１つのプロセッサと
を備え、前記少なくとも１つのプロセッサは、
第１のリンク品質を決定すること、前記第１のリンク品質は、第１の潜在的中継ＵＥと前記リモートＵＥとの間の第１のリンクのリンク品質を示す、と、
第２のリンク品質を決定すること、前記第２のリンク品質は、前記第１の潜在的中継ＵＥと第１の基地局との間の第２のリンクのリンク品質を示す、と、
第２の潜在的中継ＵＥに対して前記第１の潜在的中継ＵＥをランク付けすること、前記第１の潜在的中継ＵＥの前記ランク付けは、前記第１のリンク品質と前記第２のリンク品質との組合せに基づく、と、
前記第２の潜在的中継ＵＥに対する前記第１の潜在的中継ＵＥの前記ランク付けに基づいて、中継接続のために前記第１の潜在的中継ＵＥおよび前記第２の潜在的中継ＵＥのうちの１つを選択することと
を行うように構成される、装置。
［Ｃ２４］
前記少なくとも１つのプロセッサは、
前記第１の潜在的中継ＵＥから第１のＰＣ５メッセージを受信すること、前記第１のリンク品質は、前記受信された第１のＰＣ５メッセージに基づいて決定される、と、
前記第１の潜在的中継ＵＥから第２のＰＣ５メッセージを受信すること、前記第２のＰＣ５メッセージは、前記第２のリンク品質を示す情報を備える、と
を行うようにさらに構成される、［Ｃ２３］に記載の装置。
［Ｃ２５］
前記第１のＰＣ５メッセージと前記第２のＰＣ５メッセージとは、同じＰＣ５メッセージである、
［Ｃ２４］に記載の装置。
［Ｃ２６］
前記第１のリンクの前記第１のリンク品質は、前記第１のＰＣ５メッセージの基準信号受信電力（ＲＳＲＰ）、基準信号受信品質（ＲＳＲＱ）、信号対雑音比（ＳＮＲ）、または信号対干渉プラス雑音比（ＳＩＮＲ）のうちの少なくとも１つを決定することによって決定される、
［Ｃ２４］に記載の装置。
［Ｃ２７］
前記第２のリンク品質は、前記第２のリンクの基準信号受信電力（ＲＳＲＰ）、基準信号受信品質（ＲＳＲＱ）、信号対雑音比（ＳＮＲ）、または信号対干渉プラス雑音比（ＳＩＮＲ）のうちの少なくとも１つの関数である、
［Ｃ２４］に記載の装置。
［Ｃ２８］
前記少なくとも１つのプロセッサは、
第３のリンク品質を決定することと、前記第３のリンク品質が、前記第２の潜在的中継ＵＥと前記リモートＵＥとの間の第３のリンクのリンク品質を示す、
第４のリンク品質を決定すること、前記第４のリンク品質は、前記第２の潜在的中継ＵＥと第２の基地局との間の第４のリンクのリンク品質を示す、と
を行うようにさらに構成され、前記第１の潜在的中継ＵＥは、前記第３のリンク品質と前記第４のリンク品質との組合せにさらに基づいて、前記第２の潜在的中継ＵＥに対してランク付けされる、
［Ｃ２３］に記載の装置。
［Ｃ２９］
前記少なくとも１つのプロセッサは、
前記第２の潜在的中継ＵＥから第３のＰＣ５メッセージを受信すること、前記第３のリンク品質は、前記受信された第３のＰＣ５メッセージに基づいて決定される、と、
前記第２の潜在的中継ＵＥから第４のＰＣ５メッセージを受信すること、前記第４のＰＣ５メッセージは、前記第４のリンク品質を示す情報を備える、と
を行うようにさらに構成される、［Ｃ２８］に記載の装置。
［Ｃ３０］
前記第１の基地局および前記第２の基地局は、単一の基地局を備える、
［Ｃ２８］に記載の装置。
［Ｃ３１］
前記第１の潜在的中継ＵＥおよび前記第２の潜在的中継ＵＥのうちの１つは、前記第１の潜在的中継ＵＥおよび前記第２の潜在的中継ＵＥのうちの最高ランク付けに基づいて選択される、
［Ｃ２３］に記載の装置。
［Ｃ３２］
前記少なくとも１つのプロセッサは、前記第１のリンク品質に第１の重み付け係数を適用することと、前記第２のリンク品質に第２の重み付け係数を適用することとによって、前記第１のリンク品質と前記第２のリンク品質とを組み合わせることによってランク付けするようにさらに構成される、
［Ｃ２３］に記載の装置。
［Ｃ３３］
前記第１の重み付け係数および前記第２の重み付け係数は、固定値である、
［Ｃ３２］に記載の装置。
［Ｃ３４］
前記第１の重み付け係数および前記第２の重み付け係数は、前記リモートＵＥ中で事前構成される、
［Ｃ３２］に記載の装置。
［Ｃ３５］
前記少なくとも１つのプロセッサは、サービング基地局から前記第１の重み付け係数または前記第２の重み付け係数のうちの少なくとも１つを示す情報を受信するようにさらに構成された、
［Ｃ３２］に記載の装置。
［Ｃ３６］
前記第１の重み付け係数または前記第２の重み付け係数のうちの前記少なくとも１つを示す前記情報は、前記サービング基地局からのシステム情報ブロック（ＳＩＢ）中で受信される、
［Ｃ３５］に記載の装置。
［Ｃ３７］
前記第１の重み付け係数または前記第２の重み付け係数のうちの前記少なくとも１つを示す前記情報は、前記サービング基地局からの専用無線リソース制御（ＲＲＣ）シグナリングとして受信される、
［Ｃ３５］に記載の装置。
［Ｃ３８］
前記少なくとも１つのプロセッサは、ＰＣ５メッセージの一部として、前記第１の潜在的中継ＵＥまたは前記第２の潜在的中継ＵＥのうちの１つから、前記第１の重み付け係数または前記第２の重み付け係数のうちの少なくとも１つを示す情報を受信するようにさらに構成される、
［Ｃ３２］に記載の装置。
［Ｃ３９］
ワイヤレス通信のための装置であって、前記装置は、リモートユーザ機器（ＵＥ）であり、
第１のリンク品質を決定するための手段、前記第１のリンク品質は、第１の潜在的中継ＵＥと前記リモートＵＥとの間の第１のリンクのリンク品質を示す、と、
第２のリンク品質を決定するための手段、前記第２のリンク品質は、前記第１の潜在的中継ＵＥと第１の基地局との間の第２のリンクのリンク品質を示す、と、
第２の潜在的中継ＵＥに対して前記第１の潜在的中継ＵＥをランク付けするための手段、前記第１の潜在的中継ＵＥの前記ランク付けは、前記第１のリンク品質と前記第２のリンク品質との組合せに基づく、と、
前記第２の潜在的中継ＵＥに対する前記第１の潜在的中継ＵＥの前記ランク付けに基づいて、中継接続のために前記第１の潜在的中継ＵＥおよび前記第２の潜在的中継ＵＥのうちの１つを選択するための手段と
を備える、装置。
［Ｃ４０］
リモートユーザ機器（ＵＥ）におけるワイヤレス通信のためのコンピュータ実行可能コードを記憶するコンピュータ可読媒体であって、
第１のリンク品質を決定すること、前記第１のリンク品質は、第１の潜在的中継ＵＥと前記リモートＵＥとの間の第１のリンクのリンク品質を示す、と、
第２のリンク品質を決定すること、前記第２のリンク品質は、前記第１の潜在的中継ＵＥと第１の基地局との間の第２のリンクのリンク品質を示す、と、
第２の潜在的中継ＵＥに対して前記第１の潜在的中継ＵＥをランク付けすること、前記第１の潜在的中継ＵＥの前記ランク付けは、前記第１のリンク品質と前記第２のリンク品質との組合せに基づく、と、
前記第２の潜在的中継ＵＥに対する前記第１の潜在的中継ＵＥの前記ランク付けに基づいて、中継接続のために前記第１の潜在的中継ＵＥおよび前記第２の潜在的中継ＵＥのうちの１つを選択することと
を行うためのコードを備える、コンピュータ可読媒体。